【手続補正書】
【提出日】令和1年7月4日(2019.7.4)
【手続補正１】
【補正対象書類名】特許請求の範囲
【補正対象項目名】全文
【補正方法】変更
【補正の内容】
【特許請求の範囲】
【請求項１】
音声情報が割り付けられる通話チャネルと、報知情報が割り付けられる制御チャネルとを少なくとも備える無線通信フレームを介して無線通信を行う無線通信システムにおいて、前記通話チャネルおよび前記制御チャネルの割り付けを行う本部装置であり、
前記報知情報の更新に伴って変更される番号である世代番号を管理し、
前記制御チャネルに前記報知情報を割り付け、
送信する前記無線通信フレームに前記音声情報が含まれる場合、当該無線通信フレームにおける前記通話チャネルに前記音声情報を割り付け、
送信する前記無線通信フレームに前記音声情報が含まれない場合、当該無線通信フレームにおける前記通話チャネルのうちの少なくとも１つの前記通話チャネルに前記報知情報の前記世代番号を割り付ける、
本部装置。
【請求項２】
前記報知情報は、複数の種類に分類され、
更新された前記報知情報の種類ごとに、対応する前記世代番号が変更される、
請求項１に記載の本部装置。
【請求項３】
前記音声情報が含まれる前記無線通信フレームと連続する前記音声情報が含まれない前記無線通信フレームにおける前記通話チャネルのうちの少なくとも１つの前記通話チャネルに、前記報知情報の前記世代番号を割り付ける、
請求項１または請求項２に記載の本部装置。
【請求項４】
音声情報が割り付けられる通話チャネルと、報知情報が割り付けられる制御チャネルとを少なくとも備える無線通信フレームを介して無線通信を行う無線通信システムにおいて、本部装置からの前記通話チャネルを端末無線装置に伝達する基地局装置であり、
前記無線通信フレームに前記音声情報が含まれる場合、前記音声情報が割り付けられた前記通話チャネルを送信し、
前記無線通信フレームに前記音声情報が含まれない場合、前記報知情報の更新に伴って変更される番号である世代番号が割り付けられた少なくとも１つの前記通話チャネルを送信する、
基地局装置。
【請求項５】
前記音声情報が含まれる前記無線通信フレームと連続する前記音声情報が含まれない前記無線通信フレームにおいて、前記報知情報の前記世代番号が割り付けられた少なくとも１つの前記通話チャネルを送信する、
請求項４に記載の基地局装置。
【請求項６】
音声情報が割り付けられる通話チャネルと、報知情報が割り付けられる制御チャネルとを少なくとも備える無線通信フレームを介して無線通信を行う無線通信システムにおいて、基地局装置と前記無線通信フレームを介して接続される端末無線装置であり、
前記報知情報の更新に伴って変更される番号である世代番号を保持し、
少なくとも、前記通話チャネルを受信し、
受信した前記通話チャネルに前記報知情報の前記世代番号が割り付けられている場合、前記端末無線装置が保持する前記世代番号と、前記通話チャネルに割り付けられた前記世代番号とを比較し、前記端末無線装置が保持する前記世代番号と、前記通話チャネルに割り付けられた前記世代番号とが異なる場合、前記制御チャネルに割り付けられた前記報知情報を受信する、
端末無線装置。
【請求項７】
前記音声情報が含まれる前記無線通信フレームと連続する前記音声情報が含まれない前記無線通信フレームにおいて、前記通話チャネルのうちの少なくとも１つの前記通話チャネルに割り付けられた前記世代番号を受信する、
請求項６に記載の端末無線装置。
【請求項８】
前記報知情報は、複数の種類に分類され、
前記通話チャネルに前記報知情報の種類ごとに前記世代番号が割り付けられた場合、前記報知情報の種類ごとに、前記端末無線装置が保持する前記世代番号と、前記通話チャネルに割り付けられた前記世代番号とを比較する、
請求項６または請求項７に記載の端末無線装置。
【請求項９】
音声情報が割り付けられる通話チャネルと、報知情報が割り付けられる制御チャネルとを少なくとも備える無線通信フレームを介して無線通信を行う無線通信システムであり、
前記通話チャネルおよび前記制御チャネルの割り付けを行う本部装置と、前記本部装置からの前記通話チャネルを中継する基地局装置と、前記基地局装置と前記無線通信フレームを介して接続される端末無線装置とを備え、
前記端末無線装置は、前記報知情報の更新に伴って変更される番号である世代番号を保持し、
前記本部装置は、
前記報知情報の前記世代番号を管理し、
前記制御チャネルに前記報知情報を割り付け、
送信する前記無線通信フレームに前記音声情報が含まれる場合、当該無線通信フレームにおける前記通話チャネルに前記音声情報を割り付け、
送信する前記無線通信フレームに前記音声情報が含まれない場合、当該無線通信フレームにおける前記通話チャネルのうちの少なくとも１つの前記通話チャネルに前記報知情報の前記世代番号を割り付け、
前記基地局装置は、
前記無線通信フレームに前記音声情報が含まれる場合、前記音声情報が割り付けられた前記通話チャネルを送信し、
前記無線通信フレームに前記音声情報が含まれない場合、前記報知情報の前記世代番号が割り付けられた少なくとも１つの前記通話チャネルを送信し、
前記端末無線装置は、
少なくとも、前記通話チャネルを受信し、
受信した前記通話チャネルに前記報知情報の前記世代番号が割り付けられている場合、前記端末無線装置が保持する前記世代番号と、前記通話チャネルに割り付けられた前記世代番号とを比較し、前記端末無線装置が保持する前記世代番号と、前記通話チャネルに割り付けられた前記世代番号とが異なる場合、前記制御チャネルに割り付けられた前記報知情報を受信する、
無線通信システム。
【手続補正２】
【補正対象書類名】明細書
【補正対象項目名】発明の名称
【補正方法】変更
【補正の内容】
【発明の名称】本部装置、基地局装置、端末無線装置、および、無線通信システム
【手続補正３】
【補正対象書類名】明細書
【補正対象項目名】００１１
【補正方法】変更
【補正の内容】
【００１１】
本願明細書に開示される技術の第１の態様は、音声情報が割り付けられる通話チャネルと、報知情報が割り付けられる制御チャネルとを少なくとも備える無線通信フレームを介して無線通信を行う無線通信システムにおいて、前記通話チャネルおよび前記制御チャネルの割り付けを行う本部装置であり、前記報知情報の更新に伴って変更される番号である世代番号を管理し、前記制御チャネルに前記報知情報を割り付け、送信する前記無線通信フレームに前記音声情報が含まれる場合、当該無線通信フレームにおける前記通話チャネルに前記音声情報を割り付け、送信する前記無線通信フレームに前記音声情報が含まれない場合、当該無線通信フレームにおける前記通話チャネルのうちの少なくとも１つの前記通話チャネルに前記報知情報の前記世代番号を割り付ける。
本願明細書に開示される技術の第２の態様は、音声情報が割り付けられる通話チャネルと、報知情報が割り付けられる制御チャネルとを少なくとも備える無線通信フレームを介して無線通信を行う無線通信システムにおいて、本部装置からの前記通話チャネルを端末無線装置に伝達する基地局装置であり、前記無線通信フレームに前記音声情報が含まれる場合、前記音声情報が割り付けられた前記通話チャネルを送信し、前記無線通信フレームに前記音声情報が含まれない場合、前記報知情報の更新に伴って変更される番号である世代番号が割り付けられた少なくとも１つの前記通話チャネルを送信する。
【手続補正４】
【補正対象書類名】明細書
【補正対象項目名】００１２
【補正方法】変更
【補正の内容】
【００１２】
本願明細書に開示される技術の第３の態様は、音声情報が割り付けられる通話チャネルと、報知情報が割り付けられる制御チャネルとを少なくとも備える無線通信フレームを介して無線通信を行う無線通信システムにおいて、基地局装置と前記無線通信フレームを介して接続される端末無線装置であり、前記報知情報の更新に伴って変更される番号である世代番号を保持し、少なくとも、前記通話チャネルを受信し、受信した前記通話チャネルに前記報知情報の前記世代番号が割り付けられている場合、前記端末無線装置が保持する前記世代番号と、前記通話チャネルに割り付けられた前記世代番号とを比較し、前記端末無線装置が保持する前記世代番号と、前記通話チャネルに割り付けられた前記世代番号とが異なる場合、前記制御チャネルに割り付けられた前記報知情報を受信する。
【手続補正５】
【補正対象書類名】明細書
【補正対象項目名】００１３
【補正方法】変更
【補正の内容】
【００１３】
本願明細書に開示される技術の第４の態様は、音声情報が割り付けられる通話チャネルと、報知情報が割り付けられる制御チャネルとを少なくとも備える無線通信フレームを介して無線通信を行う無線通信システムであり、前記通話チャネルおよび前記制御チャネルの割り付けを行う本部装置と、前記本部装置からの前記通話チャネルを中継する基地局装置と、前記基地局装置と前記無線通信フレームを介して接続される端末無線装置とを備え、前記端末無線装置は、前記報知情報の更新に伴って変更される番号である世代番号を保持し、前記本部装置は、前記報知情報の前記世代番号を管理し、前記制御チャネルに前記報知情報を割り付け、送信する前記無線通信フレームに前記音声情報が含まれる場合、当該無線通信フレームにおける前記通話チャネルに前記音声情報を割り付け、送信する前記無線通信フレームに前記音声情報が含まれない場合、当該無線通信フレームにおける前記通話チャネルのうちの少なくとも１つの前記通話チャネルに前記報知情報の前記世代番号を割り付け、前記基地局装置は、前記無線通信フレームに前記音声情報が含まれる場合、前記音声情報が割り付けられた前記通話チャネルを送信し、前記無線通信フレームに前記音声情報が含まれない場合、前記報知情報の前記世代番号が割り付けられた少なくとも１つの前記通話チャネルを送信し、前記端末無線装置は、少なくとも、前記通話チャネルを受信し、受信した前記通話チャネルに前記報知情報の前記世代番号が割り付けられている場合、前記端末無線装置が保持する前記世代番号と、前記通話チャネルに割り付けられた前記世代番号とを比較し、前記端末無線装置が保持する前記世代番号と、前記通話チャネルに割り付けられた前記世代番号とが異なる場合、前記制御チャネルに割り付けられた前記報知情報を受信する。
【手続補正６】
【補正対象書類名】明細書
【補正対象項目名】００１４
【補正方法】変更
【補正の内容】
【００１４】
本願明細書に開示される技術の第１の態様は、音声情報が割り付けられる通話チャネルと、報知情報が割り付けられる制御チャネルとを少なくとも備える無線通信フレームを介して無線通信を行う無線通信システムにおいて、前記通話チャネルおよび前記制御チャネルの割り付けを行う本部装置であり、前記報知情報の更新に伴って変更される番号である世代番号を管理し、前記制御チャネルに前記報知情報を割り付け、送信する前記無線通信フレームに前記音声情報が含まれる場合、当該無線通信フレームにおける前記通話チャネルに前記音声情報を割り付け、送信する前記無線通信フレームに前記音声情報が含まれない場合、当該無線通信フレームにおける前記通話チャネルのうちの少なくとも１つの前記通話チャネルに前記報知情報の前記世代番号を割り付ける。このような構成によれば、端末無線装置における消費電力を抑えつつ、報知情報を受信することができる。すなわち、端末無線装置は、通話チャネルのみを監視しておき、通話チャネルに世代番号が割り付けられ、かつ、当該世代番号が更新された世代番号である場合にのみ制御チャネルを受信すれば、報知情報の更新に対応することができる。そのため、端末無線装置における動作制御が複雑とはならない。また、端末無線装置が制御チャネルを常に監視しておく必要はないため、端末無線装置のバッテリー持ち時間を改善することができる。
本願明細書に開示される技術の第２の態様は、音声情報が割り付けられる通話チャネルと、報知情報が割り付けられる制御チャネルとを少なくとも備える無線通信フレームを介して無線通信を行う無線通信システムにおいて、本部装置からの前記通話チャネルを端末無線装置に伝達する基地局装置であり、前記無線通信フレームに前記音声情報が含まれる場合、前記音声情報が割り付けられた前記通話チャネルを送信し、前記無線通信フレームに前記音声情報が含まれない場合、前記報知情報の更新に伴って変更される番号である世代番号が割り付けられた少なくとも１つの前記通話チャネルを送信する。このような構成によれば、端末無線装置における消費電力を抑えつつ、報知情報を受信することができる。すなわち、端末無線装置は、通話チャネルのみを監視しておき、通話チャネルに世代番号が割り付けられ、かつ、当該世代番号が更新された世代番号である場合にのみ制御チャネルを受信すれば、報知情報の更新に対応することができる。
【手続補正７】
【補正対象書類名】明細書
【補正対象項目名】００１５
【補正方法】変更
【補正の内容】
【００１５】
本願明細書に開示される技術の第３の態様は、音声情報が割り付けられる通話チャネルと、報知情報が割り付けられる制御チャネルとを少なくとも備える無線通信フレームを介して無線通信を行う無線通信システムにおいて、基地局装置と前記無線通信フレームを介して接続される端末無線装置であり、前記報知情報の更新に伴って変更される番号である世代番号を保持し、少なくとも、前記通話チャネルを受信し、受信した前記通話チャネルに前記報知情報の前記世代番号が割り付けられている場合、前記端末無線装置が保持する前記世代番号と、前記通話チャネルに割り付けられた前記世代番号とを比較し、前記端末無線装置が保持する前記世代番号と、前記通話チャネルに割り付けられた前記世代番号とが異なる場合、前記制御チャネルに割り付けられた前記報知情報を受信する。このような構成によれば、端末無線装置における消費電力を抑えつつ、報知情報を受信することができる。すなわち、端末無線装置は、通話チャネルのみを監視しておき、通話チャネルに世代番号が割り付けられ、かつ、当該世代番号が更新された世代番号である場合にのみ制御チャネルを受信すれば、報知情報の更新に対応することができる。
【手続補正８】
【補正対象書類名】明細書
【補正対象項目名】００１６
【補正方法】変更
【補正の内容】
【００１６】
本願明細書に開示される技術の第４の態様は、音声情報が割り付けられる通話チャネルと、報知情報が割り付けられる制御チャネルとを少なくとも備える無線通信フレームを介して無線通信を行う無線通信システムであり、前記通話チャネルおよび前記制御チャネルの割り付けを行う本部装置と、前記本部装置からの前記通話チャネルを中継する基地局装置と、前記基地局装置と前記無線通信フレームを介して接続される端末無線装置とを備え、前記端末無線装置は、前記報知情報の更新に伴って変更される番号である世代番号を保持し、前記本部装置は、前記報知情報の前記世代番号を管理し、前記制御チャネルに前記報知情報を割り付け、送信する前記無線通信フレームに前記音声情報が含まれる場合、当該無線通信フレームにおける前記通話チャネルに前記音声情報を割り付け、送信する前記無線通信フレームに前記音声情報が含まれない場合、当該無線通信フレームにおける前記通話チャネルのうちの少なくとも１つの前記通話チャネルに前記報知情報の前記世代番号を割り付け、前記基地局装置は、前記無線通信フレームに前記音声情報が含まれる場合、前記音声情報が割り付けられた前記通話チャネルを送信し、前記無線通信フレームに前記音声情報が含まれない場合、前記報知情報の前記世代番号が割り付けられた少なくとも１つの前記通話チャネルを送信し、前記端末無線装置は、少なくとも、前記通話チャネルを受信し、受信した前記通話チャネルに前記報知情報の前記世代番号が割り付けられている場合、前記端末無線装置が保持する前記世代番号と、前記通話チャネルに割り付けられた前記世代番号とを比較し、前記端末無線装置が保持する前記世代番号と、前記通話チャネルに割り付けられた前記世代番号とが異なる場合、前記制御チャネルに割り付けられた前記報知情報を受信する。このような構成によれば、端末無線装置における消費電力を抑えつつ、報知情報を受信することができる。すなわち、端末無線装置は、通話チャネルのみを監視しておき、通話チャネルに世代番号が割り付けられ、かつ、当該世代番号が更新された世代番号である場合にのみ制御チャネルを受信すれば、報知情報の更新に対応することができる。